【手続補正書】
【提出日】平成29年10月6日(2017.10.6)
【手続補正１】
【補正対象書類名】特許請求の範囲
【補正対象項目名】全文
【補正方法】変更
【補正の内容】
【特許請求の範囲】
【請求項１】
入力電源から負荷へ電力を供給するよう構成される第１の電力コンバータと、
前記負荷から前記第１の電力コンバータの出力部で前記入力電源へ電力を選択的に再循環させるよう構成される第２の電力コンバータと、
単一のパルス幅変調器及びスイッチング回路を有し、前記スイッチング回路が、前記パルス幅変調器の出力を受けるために前記第１の電力コンバータ又は前記第２の電力コンバータのいずれか一方を選択するよう構成される、制御回路であり、前記制御回路は、さらに、誤差増幅器の出力と零ボルトとの間の差の絶対値を供給するよう構成される、制御回路と、
を有し、
前記スイッチング回路は、前記制御回路のコントロール下で、前記負荷が電力供給しているのか、それとも吸い込んでいるのかに応じて、前記第１の電力コンバータと前記第２の電力コンバータとの間で前記パルス幅変調器の出力を切り替えるよう、さらに構成される、
双方向型低電圧電源（ＬＶＰＳ）。
【請求項２】
前記スイッチング回路は、前記電力コンバータのうちの一方のみを一度に作動させるように、前記第１の電力コンバータへの第１のゲート駆動信号又は前記第２の電力コンバータへの第２のゲート駆動信号のいずれか一方を選択的に供給するよう構成される、
請求項１に記載の双方向型ＬＶＰＳ。
【請求項３】
前記第１の電力コンバータの１つ以上のコンバータスイッチトランジスタを駆動するよう前記第１のゲート駆動信号を供給する第１のゲート駆動回路と、
前記第２の電力コンバータの１つ以上のコンバータスイッチトランジスタを駆動するよう第２のゲート駆動信号を供給する第２のゲート駆動回路と
を有し、
前記第１のゲート駆動回路及び前記第２のゲート駆動回路は、前記スイッチング回路からの出力を受けるよう構成される、
請求項２に記載の双方向型ＬＶＰＳ。
【請求項４】
前記スイッチング回路は、当該ＬＶＰＳに、前記入力電源から前記負荷へ電力を供給する前記第１の電力コンバータの動作と、前記負荷から前記入力電源へ電力を再循環させる前記第２の電力コンバータの動作との間を切り替えさせるよう構成される、
請求項２に記載の双方向型ＬＶＰＳ。
【請求項５】
入力電源から負荷へ電力を供給するよう構成される第１の電力コンバータと、
前記負荷から前記第１の電力コンバータの出力部で前記入力電源へ電力を選択的に再循環させるよう構成される第２の電力コンバータと、
制御回路と、
を含む、双方向型低電圧電源（ＬＶＰＳ）であって、
前記制御回路は、
単一のパルス幅変調器と、
スイッチング回路であり、
前記パルス幅変調器の出力を受けるために前記第１の電力コンバータ又は前記第２の電力コンバータのいずれか一方を選択し、
前記電力コンバータのうちの一方のみを一度に作動させるように、前記第１の電力コンバータへの第１のゲート駆動信号又は前記第２の電力コンバータへの第２のゲート駆動信号のいずれか一方を選択的に供給し、かつ、
当該ＬＶＰＳに、前記入力電源から前記負荷へ電力を供給する前記第１の電力コンバータの動作と、前記負荷から前記入力電源へ電力を再循環させる前記第２の電力コンバータの動作との間を切り替えさせる、
よう構成されるスイッチング回路と、
誤差増幅器と、
前記誤差増幅器の出力と零ボルトとの間の差の絶対値を供給するよう構成される絶対値回路と、
前記スイッチング回路に、前記第１の電力コンバータと前記第２の電力コンバータとの間で前記パルス幅変調器の出力を切り替えさせるよう構成されるコンバータ選択コンパレータと、
有する、
双方向型ＬＶＰＳ。
【請求項６】
前記絶対値回路は、前記誤差増幅器の出力と零ボルトとの間の差に等しい信号を前記パルス幅変調器に供給するよう構成される、
請求項５に記載の双方向型ＬＶＰＳ。
【請求項７】
当該双方向型ＬＶＰＳは、モータ駆動システムのモータ駆動エレクトロニクスへ電力を供給するよう構成される双方向型モータドライバＬＶＰＳであり、
前記負荷は、前記モータ駆動エレクトロニクス及びモータを含む、
請求項６に記載の双方向型ＬＶＰＳ。
【請求項８】
前記第１の電力コンバータは、前記モータが電力を吸い込んでいる場合に、前記モータ駆動エレクトロニクスへの電圧をレギュレートするよう構成され、
前記第２の電力コンバータは、前記モータが電力を供給している場合に、前記モータ駆動エレクトロニクスへの電力をレギュレートするよう構成される、
請求項７に記載の双方向型ＬＶＰＳ。
【請求項９】
前記モータは、低温冷却器モータである、
請求項８に記載の双方向型ＬＶＰＳ。
【請求項１０】
双方向型低電圧電源（ＬＶＰＳ）の作動方法であって、
第１の電力コンバータによって、入力電源から負荷へ電力を供給すること、
第２の電力コンバータによって、前記負荷から前記第１の電力コンバータの出力部で前記入力電源へ電力を選択的に再循環させること、
単一のパルス幅変調器の出力を受ける動作のために前記第１の電力コンバータ又は前記第２の電力コンバータのいずれか一方を選択すること、
誤差増幅器の出力と零ボルトとの間の差の絶対値を供給すること、および、
前記負荷が電力供給しているのか、それとも吸い込んでいるのかに応じて、前記第１の電力コンバータと前記第２の電力コンバータとの間で前記パルス幅変調器の出力を切り替えること
を有する作動方法。
【請求項１１】
前記電力コンバータのうちの一方のみを一度に作動させるように、前記第１の電力コンバータへの第１のゲート駆動信号又は前記第２の電力コンバータへの第２のゲート駆動信号のいずれか一方を選択的に供給すること
を更に有する請求項１０に記載の作動方法。
【請求項１２】
前記第１の電力コンバータの１つ以上のコンバータスイッチトランジスタを駆動するよう前記第１のゲート駆動信号を供給すること、および、
前記第２の電力コンバータの１つ以上のコンバータスイッチトランジスタを駆動するよう第２のゲート駆動信号を供給すること
を更に有する請求項１１に記載の作動方法。
【請求項１３】
前記選択的に供給することは、前記入力電源から前記負荷へ電力を供給する前記第１の電力コンバータの動作と、前記負荷から前記入力電源へ電力を再循環させる前記第２の電力コンバータの動作との間を切り替えるよう前記ＬＶＰＳを構成する、
請求項１１に記載の作動方法。
【請求項１４】
双方向型低電圧電源（ＬＶＰＳ）の作動方法であって、
第１の電力コンバータによって、入力電源から負荷へ電力を供給すること、
第２の電力コンバータによって、前記負荷から前記第１の電力コンバータの出力部で前記入力電源へ電力を選択的に再循環させること、
単一のパルス幅変調器の出力を受ける動作のために前記第１の電力コンバータ又は前記第２の電力コンバータのいずれか一方を選択すること、
前記電力コンバータのうちの一方のみを一度に作動させるように、前記第１の電力コンバータへの第１のゲート駆動信号又は前記第２の電力コンバータへの第２のゲート駆動信号のいずれか一方を選択的に供給することであり、当該ＬＶＰＳを、前記入力電源から前記負荷へ電力を供給する前記第１の電力コンバータの動作と、前記負荷から前記入力電源へ電力を再循環させる前記第２の電力コンバータの動作との間を切り替えさせるように構成すること、
誤差増幅器の出力と零ボルトとの間の差の絶対値を供給すること、および、
スイッチング回路に、前記負荷が電力供給しているのか、それとも吸い込んでいるのかに応じて、前記第１の電力コンバータと前記第２の電力コンバータとの間で前記パルス幅変調器の出力を切り替えさせること、
を有する作動方法。
【請求項１５】
双方向型低電圧電源（ＬＶＰＳ）の作動方法であって、
第１の電力コンバータによって、入力電源から負荷へ電力を供給すること、
第２の電力コンバータによって、前記負荷から前記第１の電力コンバータの出力部で前記入力電源へ電力を選択的に再循環させること、
単一のパルス幅変調器の出力を受ける動作のために前記第１の電力コンバータ又は前記第２の電力コンバータのいずれか一方を選択すること、
前記電力コンバータのうちの一方のみを一度に作動させるように、前記第１の電力コンバータへの第１のゲート駆動信号又は前記第２の電力コンバータへの第２のゲート駆動信号のいずれか一方を選択的に供給することであり、当該ＬＶＰＳを、前記入力電源から前記負荷へ電力を供給する前記第１の電力コンバータの動作と、前記負荷から前記入力電源へ電力を再循環させる前記第２の電力コンバータの動作との間を切り替えさせるように構成すること、および、
誤差増幅器の出力と零ボルトとの間の差に等しい信号を前記パルス幅変調器に供給すること、
を有する作動方法。
【請求項１６】
モータ駆動エレクトロニクスと、
モータ駆動システムの前記モータ駆動エレクトロニクスへ電力を供給するよう構成される双方向型モータドライバ低電圧電源（ＬＶＰＳ）と、を有する、低温冷却器システムであって、
前記双方向型モータ駆動ＬＶＰＳは、
入力電源から、前記モータ駆動エレクトロニクス及びモータを有する負荷へ電力を供給するよう構成される第１の電力コンバータと、
前記負荷から前記第１の電力コンバータの出力部で前記入力電源へ電力を選択的に再循環させるよう構成される第２の電力コンバータと、
単一のパルス幅変調器及びスイッチング回路を有し、前記スイッチング回路が、前記パルス幅変調器の出力を受けるために前記第１の電力コンバータ又は前記第２の電力コンバータのいずれか一方を選択するよう構成される、制御回路であり、前記制御回路は、さらに、誤差増幅器の出力と零ボルトとの間の差の絶対値を供給するよう構成される、制御回路と
を有し、
前記スイッチング回路は、前記制御回路のコントロール下で、前記負荷が電力供給しているのか、それとも吸い込んでいるのかに応じて、前記第１の電力コンバータと前記第２の電力コンバータとの間で前記パルス幅変調器の出力を切り替えるよう、さらに構成される、
低温冷却器システム。
【請求項１７】
前記第１の電力コンバータは、前記モータが電力を吸い込んでいる場合に、前記モータ駆動エレクトロニクスへの電圧をレギュレートするよう構成され、
前記第２の電力コンバータは、前記モータが電力を供給している場合に、前記モータ駆動エレクトロニクスへの電力をレギュレートするよう構成される、
請求項１６に記載の低温冷却器システム。
【請求項１８】
前記スイッチング回路は、前記電力コンバータのうちの一方のみを一度に作動させるように、前記第１の電力コンバータへの第１のゲート駆動信号又は前記第２の電力コンバータへの第２のゲート駆動信号のいずれか一方を選択的に供給するよう構成される、
請求項１７に記載の低温冷却器システム。
【請求項１９】
第１の電力コンバータによって、入力電源から負荷へ電力を供給する動作、
第２の電力コンバータによって、前記負荷から前記第１の電力コンバータの出力部で前記入力電源へ電力を選択的に再循環させる動作、
単一のパルス幅変調器の出力を受ける動作のために前記第１の電力コンバータ又は前記第２の電力コンバータのいずれか一方を選択する動作、
誤差増幅器の出力と零ボルトとの間の差の絶対値を供給する動作、および、
前記負荷が電力供給しているのか、それとも吸い込んでいるのかに応じて、前記第１の電力コンバータと前記第２の電力コンバータとの間で前記パルス幅変調器の出力を切り替える動作
を実行するよう双方向型低電圧電源（ＬＶＰＳ）を構成する１つ以上のプロセッサによる実行のための命令を記憶する非一時的なコンピュータ可読記憶媒体。
【請求項２０】
前記命令は、前記電力コンバータのうちの一方のみを一度に作動させるように、前記第１の電力コンバータへの第１のゲート駆動信号又は前記第２の電力コンバータへの第２のゲート駆動信号のいずれか一方を選択的に供給するよう前記双方向型ＬＶＰＳを更に構成する、
請求項１９に記載の非一時的なコンピュータ可読記憶媒体。
【請求項２１】
前記命令は、
前記第１の電力コンバータの１つ以上のコンバータスイッチトランジスタを駆動するよう前記第１のゲート駆動信号を供給し
前記第２の電力コンバータの１つ以上のコンバータスイッチトランジスタを駆動するよう第２のゲート駆動信号を供給する
よう前記双方向型ＬＶＰＳを更に構成する、請求項２０に記載の非一時的なコンピュータ可読記憶媒体。
【請求項２２】
前記選択的に供給することは、前記入力電源から前記負荷へ電力を供給する前記第１の電力コンバータの動作と、前記負荷から前記入力電源へ電力を再循環させる前記第２の電力コンバータの動作との間を切り替えるよう前記ＬＶＰＳを構成する、
請求項２１に記載の非一時的なコンピュータ可読記憶媒体。
【請求項２３】
第１の電力コンバータによって、入力電源から負荷へ電力を供給する動作、
第２の電力コンバータによって、前記負荷から前記第１の電力コンバータの出力部で前記入力電源へ電力を選択的に再循環させる動作、
単一のパルス幅変調器の出力を受ける動作のために前記第１の電力コンバータ又は前記第２の電力コンバータのいずれか一方を選択する動作、
前記電力コンバータのうちの一方のみを一度に作動させるように、前記第１の電力コンバータへの第１のゲート駆動信号又は前記第２の電力コンバータへの第２のゲート駆動信号のいずれか一方を選択的に供給する動作であり、当該ＬＶＰＳを、前記入力電源から前記負荷へ電力を供給する前記第１の電力コンバータの動作と、前記負荷から前記入力電源へ電力を再循環させる前記第２の電力コンバータの動作との間を切り替えさせるように構成する動作、
前記第１の電力コンバータの１つ以上のコンバータスイッチトランジスタを駆動するよう前記第１のゲート駆動信号を供給する動作、
前記第２の電力コンバータの１つ以上のコンバータスイッチトランジスタを駆動するよう第２のゲート駆動信号を供給する動作、
誤差増幅器の出力と零ボルトとの間の差の絶対値を供給する動作、および、
前記負荷が電力供給しているのか、それとも吸い込んでいるのかに応じて、前記第１の電力コンバータと前記第２の電力コンバータとの間で前記パルス幅変調器の出力を切り替える動作、
を実行するよう双方向型低電圧電源（ＬＶＰＳ）を構成する１つ以上のプロセッサによる実行のための命令を記憶する非一時的なコンピュータ可読記憶媒体。
【請求項２４】
前記命令は、前記誤差増幅器の出力と零ボルトとの間の差に等しい信号を前記パルス幅変調器に供給するよう前記双方向型ＬＶＰＳを更に構成する、
請求項２３に記載の非一時的なコンピュータ可読記憶媒体。